(57)【要約】  センサ（３ｂ）は、入力装置（２）と表示装置（３）とが組み合わせられた状態であるか否かを検知する。制御モード判定部（３ｃ）は、センサ（３ｂ）により検知された状態に対応付けられた制御モードを判定する。制御処理部（３ｆ）は、制御対象機器（４）の制御モードを、制御モード判定部（３ｃ）により判定された制御モードに切り替え、切り替えた制御モードに対応する表示態様で操作対象の機能を表示装置（３）に表示させる。
2017212642.tif 000002
【特許請求の範囲】
【請求項１】
入力装置と表示装置とが組み合わせられた状態であるか、取り外された状態であるかを検知する検知部と、
制御対象機器に設定可能な制御モードの中から前記検知部により検知された状態に対応付けられた制御モードを判定する判定部と、
制御対象機器の制御モードを前記判定部により判定された制御モードに切り替え、切り替えられた制御モードに対応する表示態様で操作対象の機能を前記表示装置に表示させる制御処理部と
を備えたことを特徴とする操作装置。
【請求項２】
前記判定部は、操作対象の機能が前記表示装置に表示される第１の制御モードと、前記第１の制御モードよりも少ない数の機能が操作対象として前記表示装置に表示される第２の制御モードとから、前記検知部によって検知された状態に対応付けられた制御モードを判定することを特徴とする請求項１記載の操作装置。
【請求項３】
前記検知部は、前記入力装置と前記表示装置が組み合わせられた状態の位置関係を検知し、
前記制御処理部は、前記判定部により判定された制御モードで操作対象となる機能を、前記検知部により検知された位置関係に対応付けられた表示態様で前記表示装置に表示させ、前記表示態様に対応付けられた操作方法で機能の操作を受け付けることを特徴とする請求項１記載の操作装置。
【請求項４】
前記検知部は、前記入力装置と前記表示装置が組み合わせられた状態の位置関係を検知し、
前記制御処理部は、前記判定部により判定された制御モードで操作可能な機能の中から、前記検知部により検知された位置関係に対応付けられた機能を操作対象として選択して前記表示装置に表示させることを特徴とする請求項１記載の操作装置。
【請求項５】
前記検知部は、前記入力装置と前記表示装置が組み合わせられた状態の位置関係を検知し、
前記制御処理部は、複数の機器の中から、前記検知部により検知された位置関係に対応付けられた機器を、制御対象機器として選択することを特徴とする請求項１記載の操作装置。
【発明の詳細な説明】
【技術分野】
【０００１】
この発明は、制御対象機器の機能を操作する操作装置に関する。
【背景技術】
【０００２】
制御対象機器を操作するための操作ボタンをリモートコントローラの表示部に表示し、表示部に表示された操作ボタンを操作して、この操作ボタンに設定されている機能を実行させることが、従来から広く行われている。
一方、近年の制御対象機器の多機能化によって機能に割り当てられた操作ボタンの数が増加する傾向にある。このため、制御対象機器の機能に割り当てられた全ての操作ボタンを表示部に表示したのでは、目的の機能に対応する操作ボタンを特定し難くなって操作性が低下する。【０００３】
これに対し、例えば、特許文献１に記載される操作パネルでは、モード切り替えボタンを操作することで、制御対象機器の制御モードが簡易モードまたは通常モードに切り替えられ、表示部の表示内容も切り替えられる。
なお、簡易モードは、制御対象機器の基本機能のみを使用できる制御モードであって、基本機能に割り当てられた操作ボタンのみが表示部に表示される。また、通常モードは、基本機能に加えて付加機能も使用可能な制御モードであって、付加機能に割り当てられた操作ボタンも表示部に表示される。
【先行技術文献】
【特許文献】
【０００４】
【特許文献１】特開２００５−９８３１号公報
【発明の概要】
【発明が解決しようとする課題】
【０００５】
特許文献１に記載される操作パネルでは、モード切り替えボタンを操作面に固定的に配置する必要がある。これにより、モード切り替えボタンの配置面積を確保するために操作面が大型になるか、もしくは、操作ボタンを表示する画面サイズが、モード切り替えボタンに占有された面積分だけ小さくなるという課題があった。【０００６】
この発明は上記課題を解決するもので、別途、切り替えボタンを設けることなく、制御対象機器の制御モードおよび機能の表示態様を切り替えることができる操作装置を得ることを目的とする。
【課題を解決するための手段】
【０００７】
この発明に係る操作装置は、検知部、判定部および制御処理部を備える。
検知部は、入力装置と表示装置とが組み合わせられた状態であるか、取り外された状態であるかを検知する。判定部は、制御対象機器に設定可能な制御モードの中から、検知部により検知された状態に対応付けられた制御モードを判定する。制御処理部は、制御対象機器の制御モードを判定部により判定された制御モードに切り替え、切り替えられた制御モードに対応する表示態様で操作対象の機能を表示装置に表示させる。
【発明の効果】
【０００８】
この発明によれば、入力装置と表示装置が組み合わせられた状態であるか否かに応じて制御モードと操作対象の機能の表示態様が切り替えられる。これにより、別途、切り替えボタンを設けることなく、制御対象機器の制御モードおよび機能の表示態様を切り替えることができる。
【図面の簡単な説明】
【０００９】
【図１】この発明の実施の形態１に係る操作装置の構成を示すブロック図である。
【図２】実施の形態１に係る操作装置の動作を示すフローチャートである。
【図３】実施の形態１に係る操作装置において入力装置を表示装置に組み合わせた状態を示す図である。
【図４】実施の形態１に係る操作装置において入力装置を表示装置から取り外した状態を示す図である。
【図５】この発明の実施の形態２に係る操作装置の構成を示すブロック図である。
【図６】図６Ａは実施の形態２に係る操作装置において入力装置を表示装置の下面に組み合わせた状態を示す図である。入力装置を図６Ｂは表示装置の上面に組み合わせた状態を示す図である。図６Ｃは入力装置を表示装置の左側面に組み合わせた状態を示す図である。図６Ｄは入力装置を表示装置の右側面に組み合わせた状態を示す図である。
【図７】この発明の実施の形態３に係る操作装置の構成を示すブロック図である。
【発明を実施するための形態】
【００１０】
以下、この発明をより詳細に説明するため、この発明を実施するための形態について、添付の図面に従って説明する。
実施の形態１．
図１は、この発明の実施の形態１に係る操作装置１の構成を示すブロック図である。
操作装置１は、空調機器などを遠隔操作するリモートコントローラで実現され、入力装置２と表示装置３から構成されている。入力装置２は、表示装置３の一部に組み合わせることが可能であり、ユーザ操作を受け付けて表示装置３に入力信号を送信する。その構成として、入力部２ａと入力信号送信部２ｂとを備える。
【００１１】
入力部２ａは、ユーザ操作を受け付ける。例えば、入力部２ａは、ハードウェアボタンと入力装置２の内部に配置されたスイッチを有しており、ハードウェアボタンでスイッチが押下されたときに発生する入力信号を入力信号送信部２ｂに出力する。
【００１２】
入力信号送信部２ｂは、入力部２ａからの入力信号を表示装置３に送信する。入力信号送信部２ｂと表示装置３との間の通信方法としては、例えば、入力装置２が表示装置３から取り外されている状態でＢｌｕｅｔｏｏｔｈ（登録商標、以下省略）、赤外線通信、無線ＬＡＮ（Ｌｏｃａｌ  Ａｒｅａ  Ｎｅｔｗｏｒｋ）などの無線通信が挙げられる。
また、入力装置２が表示装置３に組み合わされた状態では有線通信であってもよいが、有線通信に限らない。すなわち、入力装置２が表示装置３に組み合わされた状態で上記の無線通信を行ってもよい。
【００１３】
表示装置３は、制御対象機器４における操作対象の機能を表示する。その構成として、入力信号受信部３ａ、センサ３ｂ、制御モード判定部３ｃ、記憶部３ｄ、運転情報受信部３ｅ、制御処理部３ｆ、制御情報送信部３ｇおよび表示部３ｈを備える。
入力信号受信部３ａは、入力装置２の入力信号送信部２ｂからの入力信号を受信する。入力信号送信部２ｂと入力信号受信部３ａの通信方法は、前述した入力信号送信部２ｂと同様である。
【００１４】
センサ３ｂは、この発明における検知部を具体化したものであって、入力装置２と表示装置３とが組み合わせられた状態であるか取り外された状態であるかを検知する。
例えば、入力装置２および表示装置３の各外表面に露出した電極を設けておく。センサ３ｂは、入力装置２の電極と表示装置３の電極とが電気的に接続されると、入力装置２と表示装置３とが組み合わせられた状態であると検知する。
また、磁力センサを用いてセンサ３ｂを構成してもよい。この構成で、センサ３ｂは、入力装置２と表示装置３とが磁気的に接続されると、これらが組み合わされた状態であると検知する。
なお、実施の形態１に係る操作装置１は、これらのセンサ３ｂの構造に限定されるものではない。すなわち、入力装置２と表示装置３とが組み合わせられた状態であるか取り外された状態であるかを検知することができる構造であれば、上記以外の構造のセンサ３ｂを採用してもよい。
【００１５】
制御モード判定部３ｃは、この発明における判定部を具体化したものであり、制御対象機器４に設定可能な制御モードの中から、センサ３ｂにより検知された状態に対応付けられた制御モードを判定する。
制御対象機器４に設定可能な制御モードとしては、フルコントロールモードとシンプルコントロールモードとの２つの制御モードがある。例えば、制御モード判定部３ｃには、入力装置２と表示装置３とが組み合わされた状態にフルコントロールモードが対応付けられ、取り外された状態にシンプルコントロールモードが対応付けられている。
【００１６】
ここで、フルコントロールモードは、この発明における第１の制御モードを具体化したものであり、制御対象機器４の全ての機能が操作可能とされて表示部３ｈに表示される。
シンプルコントロールモードは、この発明における第２の制御モードを具体化したものであり、制御対象機器４で操作可能な機能のうち、予め設定された機能が操作可能とされて表示部３ｈに表示される。すなわち、シンプルコントロールモードでは、フルコントロールモードよりも少ない数の機能が操作対象となる。
【００１７】
記憶部３ｄは、制御対象機器４に設定可能な制御モードと、制御モードに対応する機能の表示態様と、の対応関係を示す第１の参照データを記憶している。第１の参照データにおいて、フルコントロールモードには、例えば、操作対象の機能が階層化されたＧＵＩ（Ｇｒａｐｈｉｃａｌ  Ｕｓｅｒ  Ｉｎｔｅｒｆａｃｅ）が対応付けられる。
シンプルコントロールモードには、制御対象機器４で操作可能な機能のうち、予め設定された機能が表示される態様が対応付けられている。
【００１８】
運転情報受信部３ｅは、制御対象機器４から運転情報を受信する。運転情報とは、制御対象機器４の運転状態を示す情報である。運転状態としては、例えば、制御対象機器４が空調機である場合、現在の設定温度、風向き、風量、空調機のオンまたはオフのタイマーの設定などが挙げられる。運転情報受信部３ｅと制御対象機器４との間の通信方法としては、例えば、Ｂｌｕｅｔｏｏｔｈ、赤外線通信、無線ＬＡＮなどの無線通信が挙げられ、表示装置３が制御対象機器４に組み合わされている場合は有線通信としてもよい。
【００１９】
制御処理部３ｆは、制御対象機器４の制御モードを、制御モード判定部３ｃにより判定された制御モードに切り替え、切り替えられた制御モードに対応する表示態様で操作対象の機能を表示部３ｈに表示させる。
例えば、制御対象機器４がフルコントロールモードに切り替えられた場合、制御処理部３ｆは、記憶部３ｄに記憶された第１の参照データを参照して、操作対象の機能が階層化されたＧＵＩを表示部３ｈに表示させる。制御対象機器４がシンプルコントロールモードに切り替えられた場合、制御処理部３ｆは、制御対象機器４で操作可能な機能のうち、予め設定された機能のみを選択して表示部３ｈに表示させる。
【００２０】
制御情報送信部３ｇは、制御情報を制御対象機器４に送信する。なお、制御情報とは、要求された機能を制御対象機器４に実行させるための情報であり、制御処理部３ｆにより生成させる。すなわち、制御処理部３ｆは、表示部３ｈに表示した機能に対する動作要求を受け付けると、この機能を実行させるための制御情報を生成する。
表示部３ｈは、制御処理部３ｆから入力した表示情報を表示する。表示部３ｈとして、例えば、液晶、有機ＥＬ（Ｅｌｅｃｔｒｏｎｉｃ  Ｌｕｍｉｎｅｓｃｅｎｃｅ）のモニタが挙げられる。
【００２１】
次に動作について説明する。
図２は、操作装置１の動作を示すフローチャートであり、入力装置２と表示装置３とが組み合わせられた状態であるか否かに応じて制御モードと機能の表示態様とを切り替える一連の処理を示している。また、図３は、操作装置１において入力装置２を表示装置３に組み合わせた状態を示す図である。図４は、操作装置１において入力装置２を表示装置３から取り外した状態を示す図である。なお、以降では、操作装置１が空調機器のリモートコントローラである場合を例に挙げる。
【００２２】
センサ３ｂは、入力装置２と表示装置３とが組み合わせられた状態か取り外された状態かを検知している（ステップＳＴ１）。この検知情報は、センサ３ｂから制御モード判定部３ｃに出力される。
【００２３】
制御モード判定部３ｃは、センサ３ｂにより入力装置２が表示装置３に取り付けられていることが検知されると（ステップＳＴ２；ＹＥＳ）、フルコントロールモードを、制御対象機器４に設定すべき制御モードと判定する（ステップＳＴ３）。
一方、センサ３ｂにより入力装置２が表示装置３から取り外されていることが検知されると（ステップＳＴ２；ＮＯ）、制御モード判定部３ｃは、シンプルコントロールモードを、制御対象機器４に設定すべき制御モードと判定する（ステップＳＴ４）。
【００２４】
ステップＳＴ５において、制御処理部３ｆは、制御モード判定部３ｃにより判定された制御モードがフルコントロールモードである場合に、フルコントロールモードを制御対象機器４に設定するための制御情報を生成する。そして、制御処理部３ｆは、制御情報送信部３ｇに指示して制御対象機器４に制御情報を送信させる。制御対象機器４は、制御情報に従ってフルコントロールモードとなり、全ての機能が操作可能となる。
【００２５】
さらに、制御処理部３ｆは、記憶部３ｄに記憶された第１の参照データを参照することにより、フルコントロールモードに対応する機能の表示態様を特定する。
例えば、制御処理部３ｆは、制御対象機器４の全ての機能を操作対象として、これらの機能が階層化されたＧＵＩを表示部３ｈに表示させる。
【００２６】
図３は、前述したＧＵＩの一例を示している。表示部３ｈには、“タイマー”という機能名６、この機能の階層に属する“タイマーの種類を選択させる”という機能名、および選択項目の各種タイマー６ａが表示されている。このＧＵＩでは、入力装置２の操作ボタン５を用いて、各種タイマー６ａの表示をスクロールさせて選択することが可能である。
なお、表示部３ｈには、設定温度表示７も表示されており、図３の例では“２８°”である。
【００２７】
また、ステップＳＴ５において、制御処理部３ｆは、制御モード判定部３ｃにより判定された制御モードがシンプルコントロールモードの場合、シンプルコントロールモードを制御対象機器４に設定するための制御情報を生成する。そして、制御処理部３ｆは、生成した制御情報を制御情報送信部３ｇにより制御対象機器４に送信する。このようにして、制御対象機器４は、シンプルコントロールモードとなり、予め設定された機能のみが操作可能となる。
【００２８】
さらに、制御処理部３ｆは、記憶部３ｄに記憶された第１の参照データを参照することにより、シンプルコントロールモードに対応する機能の表示態様を特定する。
例えば、制御処理部３ｆは、図４に示すように設定温度表示７のみを表示部３ｈに表示させる。設定温度表示７は、入力装置２の操作ボタン５を用いて温度を昇降させることが可能である。また、制御処理部３ｆでは、操作ボタン５を用いた設定温度表示７の操作を受け付けると、直ちに制御情報を生成し、制御情報送信部３ｇに指示して制御対象機器４に送信させる。制御対象機器４である空調機器では、設定温度を設定温度表示７の温度に変更する。
【００２９】
このように、シンプルコントロールモードにおいては、入力装置２の操作ボタン５が、予め設定された機能を直接呼び出すためのダイレクトキーの役割を有する。
また、設定温度表示７には、操作ボタン５を用いて昇降された温度が直ちに表示されるので、操作結果がユーザに直ちにフィードバックされる。
【００３０】
なお、シンプルコントロールモードにおいて、入力装置２で呼び出すことができる機能は、フルコントロールモードで操作可能な機能の中から、ユーザが適宜選択できるように構成してもよい。例えば、制御処理部３ｆが、シンプルコントロールモードの機能を選択させるＧＵＩを表示部３ｈに表示させ、入力装置２を用いて選択された機能を、シンプルコントロールモードの機能として設定する。これによって、制御対象機器４の主要機能、ユーザがよく使う機能などがシンプルコントロールモードの機能として設定される。
シンプルコントロールモードでは、多数の機能から所望の機能を探す必要がないので、操作ボタン５を用いて表示部３ｈに表示された機能を容易に操作することができる。
【００３１】
例えば、空調機器のスケジュール運転設定機能では、空調機器のオン時間、オフ時間、設定温度などを順次設定する必要がある。このような機能は、フルコントロールモードの操作対象に設定される。また、設定温度の変更操作、急速冷房、急速暖房などの操作は、一般的に利用頻度が高いことが予想されるので、シンプルコントロールモードの操作対象に設定する。これにより、操作ボタン５を用いて容易に操作することができる。
【００３２】
また、制御対象機器４が録画機器である場合、録画予約設定、録画コンテンツ編集などの機能では、録画開始時間、録画終了時間、編集内容などを設定する複雑な操作が必要である。このような機能は、フルコントロールモードの操作対象とされる。
放送局の切り替え操作、音量変更操作などは一般的に利用頻度が高いことが予想されるので、シンプルコントロールモードの操作対象に設定される。これにより、操作ボタン５を用いて容易に操作することができる。
【００３３】
以上のように、実施の形態１に係る操作装置１において、センサ３ｂは、入力装置２と表示装置３が組み合わせられた状態であるか取り外された状態であるかを検知する。制御モード判定部３ｃは、制御対象機器４に設定可能な制御モードの中から、センサ３ｂにより検知された状態に対応付けられた制御モードを判定する。制御処理部３ｆは、制御対象機器４の制御モードを、制御モード判定部３ｃにより判定された制御モードに切り替え、切り替えた制御モードに対応する表示態様で操作対象の機能を表示部３ｈに表示させる。これにより、別途切り替えボタンを設けることなく、制御対象機器４の制御モードおよび機能の表示態様を切り替えることができる。
【００３４】
また、実施の形態１に係る操作装置１において、制御モード判定部３ｃが、フルコントロールモードとシンプルコントロールモードの中から、センサ３ｂにより検知された状態に対応付けられた制御モードを判定する。
このように、入力装置２と表示装置３を組み合わせるか取り外すという簡単な操作で、制御対象機器４の制御モードをフルコントロールモードとシンプルコントロールモードとの間で切り替えることができる。
【００３５】
実施の形態２．
図５は、この発明の実施の形態２に係る操作装置１Ａの構成を示すブロック図である。
なお、図５において、図１と同一の構成要素には、同一の符号を付して説明を省略する。
操作装置１Ａは、入力装置２と表示装置３Ａから構成される。
表示装置３Ａは、入力信号受信部３ａ、センサ３ｂ−１、制御モード判定部３ｃ、記憶部３ｄ−１、運転情報受信部３ｅ、制御処理部３ｆ−１、制御情報送信部３ｇおよび表示部３ｈを備える。
【００３６】
センサ３ｂ−１は、この発明における検知部を具体化したものであって、入力装置２と表示装置３Ａとが組み合わせられた状態における入力装置２と表示装置３Ａとの位置関係を検知する。例えば、表示装置３Ａが平面視で四角形の外形形状を有する場合、四角形の上下左右の辺をそれぞれ含む面に露出した電極を設け、さらに入力装置２の外表面に露出した電極を設けておく。センサ３ｂ−１は、表示装置３Ａの各面の電極のうち、入力装置２の電極と電気的に接続された電極がある面を特定することにより、この面に入力装置２が取り付けられたと検知する。
また、磁力センサを用いてセンサ３ｂ−１を構成してもよい。この場合、センサ３ｂ−１は、表示装置３Ａの各面のうち、入力装置２と磁気的に接続された面を特定して、この面に入力装置２が取り付けられたと検知する。
なお、実施の形態２に係る操作装置１Ａは、これらのセンサ３ｂ−１の構造に限定されるものではない。すなわち、入力装置２と表示装置３Ａとが組み合わせられた状態の位置関係を検知することができる構造であれば、上記以外の構造のセンサ３ｂ−１を採用してもよい。
【００３７】
記憶部３ｄ−１には、実施の形態１で示した第１の参照データが記憶されるとともに、入力装置２と表示装置３Ａとの位置関係と、各位置関係に対応する機能の表示態様および操作方法との対応関係を示す第２の参照データが記憶されている。
例えば、表示装置３Ａが平面視で四角形の外形形状を有する場合、第２の参照データには、四角形の各辺に沿って機能の選択項目を並べた選択画面が表示態様として設定され、この選択画面の操作方法として各辺に沿ったスクロール操作が対応付けられる。
【００３８】
制御処理部３ｆ−１は、制御モード判定部３ｃにより判定された制御モードで操作対象となる機能を、センサ３ｂ−１で検知された位置関係に対応付けられた表示態様で表示部３ｈに表示させる。そして、制御処理部３ｆ−１は、この表示態様に対応付けられた操作方法で機能の操作を受け付ける。例えば、制御処理部３ｆ−１は、記憶部３ｄ−１に記憶された第２の参照データを参照することで、センサ３ｂ−１により検知された位置関係に対応する機能の表示態様および操作方法を特定する。
【００３９】
次に、入力装置２と表示装置３Ａとの組み合わせ位置関係に応じたＧＵＩの詳細を説明する。ここで、操作装置１Ａが空調機器のリモートコントローラであり、表示装置３Ａは平面視で四角形の外形形状を有している。
図６Ａまたは図６Ｂにおいて、入力装置２が表示装置３Ａの下面または上面に取り付けられている。制御処理部３ｆ−１は、記憶部３ｄ−１に記憶された第２の参照データから機能の表示態様を特定することで、表示装置３Ａの下面または上面の辺に沿ってタイマー設定機能の選択項目である各種タイマーが並んだ選択画面を表示部３ｈに表示させる。
また、入力装置２の操作ボタン５ａが押下されると、制御処理部３ｆ−１は、表示装置３Ａの下面または上面の辺に沿った方向に各種タイマーを移動させる。
【００４０】
図６Ｃまたは図６Ｄにおいて、入力装置２が表示装置３Ａの左面または右面に取り付けられている。制御処理部３ｆ−１は、記憶部３ｄ−１に記憶された第２の参照データから機能の表示態様を特定することで、表示装置３Ａの左面または右面の辺に沿ってタイマー設定機能の選択項目である各種タイマーが並んだ選択画面を表示部３ｈに表示させる。
また、入力装置２の操作ボタン５ａが押下されると、制御処理部３ｆ−１は、表示装置３Ａの左面または右面の辺に沿った方向に各種タイマーを移動させる。
このように機能を操作するＧＵＩが入力装置２と表示装置３Ａとの組み合わせ位置関係に応じて変更されるので、入力装置２を表示装置３Ａに取り付けるだけの簡単な操作で様々なＧＵＩをユーザに提供することができる。
【００４１】
これまで、制御モード判定部３ｃにより判定された制御モードで操作対象となる機能の表示態様を、入力装置２と表示装置３Ａとの組み合わせ位置関係に応じて変更する場合について示したが、機能自体を変更してもよい。
例えば、入力装置２と表示装置３Ａとの組み合わせ位置関係と、制御対象機器４の制御モードで操作可能な機能とを対応付けた第３の参照データを、第２の参照データの代わりに記憶部３ｄ−１に記憶しておく。制御処理部３ｆ−１は、記憶部３ｄ−１に記憶された第３の参照データを参照することで、センサ３ｂ−１によって検知された位置関係に対応付けられた機能を、操作対象として選択して表示部３ｈに表示させる。
【００４２】
制御対象機器４が空調機器で、運転モードの切り替え設定、温度設定、タイマー設定、メニュー設定といった機能がある場合を例に挙げる。
入力装置２が表示装置３Ａの上面に取り付けられた場合、制御処理部３ｆ−１は、運転モードの切り替え設定を操作対象として選択して表示部３ｈに表示させる。
また、入力装置２が表示装置３Ａの下面に取り付けられると、制御処理部３ｆ−１は、温度設定を操作対象として選択して表示部３ｈに表示させる。
さらに、入力装置２が表示装置３Ａの左面に取り付けられた場合、制御処理部３ｆ−１は、タイマー設定を操作対象として選択して表示部３ｈに表示させ、右面に取り付けられると、メニュー設定を操作対象として選択して表示部３ｈに表示させる。
このように入力装置２を表示装置３Ａに取り付けるだけの簡単な操作で制御対象機器４の機能を切り替えることができる。
【００４３】
なお、表示装置３Ａが平面視で四角形の外形形状を有する場合を示したが、これに限定されるものではない。例えば、表示装置３Ａが、平面視で四角形以外の多角形の外形形状であってもよい。この場合、表示装置３Ａの各辺に沿って機能の選択項目が並んだ選択画面を表示部３ｈに表示させ、この辺に沿った方向に選択項目をスクロールさせてもよい。
また、入力装置２が長手方向を有する外形形状である場合に、入力装置２の長手方向に沿って機能の選択項目が並んだ選択画面を表示部３ｈに表示させ、入力装置２の長手方向に選択項目をスクロールさせてもよい。
【００４４】
以上のように、実施の形態２に係る操作装置１Ａにおいて、センサ３ｂ−１は、入力装置２と表示装置３Ａとが組み合わせられた状態における入力装置２と表示装置３Ａとの位置関係をさらに検知する。制御処理部３ｆ−１は、制御モード判定部３ｃにより判定された制御モードで操作対象となる機能を、センサ３ｂ−１で検知された位置関係に対応付けられた表示態様で表示部３ｈに表示させ、この表示態様に対応付けられた操作方法で機能の操作を受け付ける。これにより、機能を操作するＧＵＩが入力装置２と表示装置３Ａとの組み合わせ位置関係に応じて変更されるので、入力装置２を表示装置３Ａに取り付けるだけの簡単な操作で様々なＧＵＩをユーザに提供することができる。
【００４５】
また、実施の形態２に係る操作装置１Ａにおいて、制御処理部３ｆ−１は、制御モード判定部３ｃに判定された制御モードで操作可能な機能の中から、センサ３ｂ−１に検知された位置関係に対応付けられた機能を選択する。そして、制御処理部３ｆ−１は、選択した機能を操作対象として表示部３ｈに表示させる。このようにすることで、入力装置２を表示装置３Ａに取り付けるだけの簡単な操作で制御対象機器４の機能を切り替えることができる。
【００４６】
実施の形態３．
図７は、この発明の実施の形態３に係る操作装置１Ｂの構成を示すブロック図である。なお、図７において、図１および図５と同一の構成要素には、同一の符号を付して説明を省略する。
操作装置１Ｂは、入力装置２と表示装置３Ｂから構成される。表示装置３Ｂは、入力信号受信部３ａ、センサ３ｂ−１、制御モード判定部３ｃ、記憶部３ｄ−２、運転情報受信部３ｅ、制御処理部３ｆ−２、制御情報送信部３ｇおよび表示部３ｈを備える。
【００４７】
記憶部３ｄ−２には、実施の形態２で示した第１の参照データに加えて、入力装置２と表示装置３Ｂとの位置関係と、この位置関係に対応する機器および各機器で操作対象の機能との対応関係を示す第４の参照データが記憶されている。
表示装置３Ｂが平面視で四角形の外形形状を有する場合、第４の参照データでは、四角形の各辺に機器が対応付けられる。例えば、制御対象機器の候補が、空調機器、テレビ、給湯器、ＨＥＭＳ（Ｈｏｍｅ  Ｅｎｅｒｇｙ  Ｍａｎａｇｅｍｅｎｔ  Ｓｙｓｔｅｍ）である場合に、四角形の下辺に空調機器、上辺にテレビ、左辺に給湯器、右辺にＨＥＭＳがそれぞれ対応付けられる。
【００４８】
制御処理部３ｆ−２は、記憶部３ｄ−２に記憶された第４の参照データを参照することで、制御対象機器４−１〜４−３の中から、センサ３ｂ−１により検知された位置関係に対応付けられた機器を、制御対象機器として選択する。
なお、制御モード判定部３ｃは、制御処理部３ｆ−２により選択された制御対象機器４に設定可能な制御モードの中からセンサ３ｂ−１により検知された状態に対応付けられた制御モードを判定する。
制御処理部３ｆ−２は、制御モード判定部３ｃにより判定された制御対象機器４の制御モードを、制御モード判定部３ｃにより判定された制御モードに切り替えて、切り替えた制御モードに対応する表示態様で操作対象の機能を表示部３ｈに表示させる。
【００４９】
前述の例では、入力装置２が表示装置３Ｂの下辺側の面（下面）に取り付けられると、制御処理部３ｆ−２が、空調機器を制御対象機器として選択する。このとき、制御モード判定部３ｃは、空調機器に設定可能な制御モードの中から、センサ３ｂ−１により検知された状態に対応付けられた制御モードを判定する。制御モードがフルコントロールモードである場合、制御処理部３ｆ−２は、図３に示したＧＵＩを表示部３ｈに表示させる。
なお、入力装置２が表示装置３Ｂの上辺側の面（上面）に取り付けられると、テレビの操作が可能となる。また、入力装置２が表示装置３Ｂの左辺側の面（左面）に取り付けられると、給湯器の操作、入力装置２が表示装置３Ｂの右辺側の面（右面）に取り付けられると、ＨＥＭＳの操作が可能となる。
【００５０】
以上のように、実施の形態３に係る操作装置１Ｂにおいて、センサ３ｂ−１は、入力装置２と表示装置３Ｂとが組み合わせられた状態における入力装置２と表示装置３Ｂとの位置関係をさらに検知する。制御処理部３ｆ−２は、制御対象機器４−１〜４−３の中からセンサ３ｂ−１により検知された位置関係に対応付けられた機器を、制御対象機器として選択する。これにより、制御対象機器４−１〜４−３の中から入力装置２を表示装置３Ａに取り付けるだけの簡単な操作で制御対象機器を切り替えることができる。
【００５１】
実施の形態１〜３において、表示部３ｈに表示したＧＵＩで制御対象機器を選択してもよい。この場合、制御対象機器の選択画面を表示部３ｈに表示し、ユーザが入力装置２を用いて制御対象機器を選択する。
例えば、実施の形態１で示したフルコントロールモードのＧＵＩに制御対象機器の選択機能を含めておき、このＧＵＩで制御対象機器が選択される。このとき、空調機器と録画装置とが制御対象機器として選択された場合、これらの機器を制御することができる。
【００５２】
実施の形態１〜３において、入力装置２の操作に応じて制御モードの切り替えを行ってもよい。また、表示装置３，３Ａ，３Ｂに設けたスイッチの操作に応じて、制御モードを切り替えてもよい。
【００５３】
実施の形態１〜３では、操作装置が、入力装置と表示装置から構成される場合を示したが、これに限定されるものではない。例えば、テレビ、パソコンなどの表示機能を有した機器を表示装置として利用してもよい。この場合、センサ、制御モード判定部および制御処理部は、入力装置側に設けられる。反対に、既存のリモコンを入力装置として利用してもよい。
【００５４】
また、実施の形態１〜３における表示装置は、壁掛けタイプであってもよいし、卓上に置く形態であってもよい。また、スマートフォン、タブレット機器のようなモバイルデバイスの形態であってもよい。さらに、表示部３ｈは、画面上にタッチパネルを備えていてもよい。
【００５５】
なお、本発明はその発明の範囲内において、各実施の形態の自由な組み合わせあるいは各実施の形態の任意の構成要素の変形、もしくは各実施の形態において任意の構成要素の省略が可能である。
【産業上の利用可能性】
【００５６】
この発明に係る操作装置は、別途、切り替えボタンを設けることなく、制御対象機器の制御モードを切り替えることができるので、空調機器、録画装置などの様々な機器の操作装置として好適である。
【符号の説明】
【００５７】
１，１Ａ，１Ｂ  操作装置、２  入力装置、２ａ  入力部、２ｂ  入力信号送信部、３，３Ａ，３Ｂ  表示装置、３ａ  入力信号受信部、３ｂ，３ｂ−１  センサ、３ｃ  制御モード判定部、３ｄ，３ｄ−１，３ｄ−２  記憶部、３ｅ  運転情報受信部、３ｆ，３ｆ−１，３ｆ−２  制御処理部、３ｇ  制御情報送信部、３ｈ  表示部、４，４−１〜４−３  制御対象機器、５，５ａ  操作ボタン、６  機能名、６ａ  各種タイマー、７  設定温度表示。
【図１】
2017212642.tif 000003
【図２】
2017212642.tif 000004
【図３】
2017212642.tif 000005
【図４】
2017212642.tif 000006
【図５】
2017212642.tif 000007
【図６】
2017212642.tif 000008
【図７】
2017212642.tif 000009
【手続補正書】
【提出日】平成30年6月12日(2018.6.12)
【手続補正１】
【補正対象書類名】明細書
【補正対象項目名】０００７
【補正方法】変更
【補正の内容】
【０００７】
この発明に係る操作装置は、検知部、判定部および制御処理部を備える。
検知部は、入力装置と表示装置とが組み合わせられた状態であるか、取り外された状態であるかを検知する。判定部は、制御対象機器に設定可能な制御モードの中から、検知部により検知された状態に対応付けられた制御モードを判定する。制御処理部は、制御対象機器の制御モードを判定部により判定された制御モードに切り替え、切り替えられた制御モードに対応する表示態様で操作対象の機能を表示装置に表示させる。
検知部は、入力装置と表示装置が組み合わせられた状態の位置関係を検知し、制御処理部は、判定部により判定された制御モードで操作対象となる機能を、検知部により検知された位置関係に対応付けられた表示態様で表示装置に表示させ、表示態様に対応付けられた操作方法で機能の操作を受け付ける。
【手続補正２】
【補正対象書類名】特許請求の範囲
【補正対象項目名】全文
【補正方法】変更
【補正の内容】
【特許請求の範囲】
【請求項１】
入力装置と表示装置とが組み合わせられた状態であるか、取り外された状態であるかを検知する検知部と、
制御対象機器に設定可能な制御モードの中から前記検知部により検知された状態に対応付けられた制御モードを判定する判定部と、
制御対象機器の制御モードを前記判定部により判定された制御モードに切り替え、切り替えられた制御モードに対応する表示態様で操作対象の機能を前記表示装置に表示させる制御処理部と
を備え、
前記検知部は、前記入力装置と前記表示装置が組み合わせられた状態の位置関係を検知し、
前記制御処理部は、前記判定部により判定された制御モードで操作対象となる機能を、前記検知部により検知された位置関係に対応付けられた表示態様で前記表示装置に表示させ、前記表示態様に対応付けられた操作方法で機能の操作を受け付けることを特徴とする操作装置。
【請求項２】
入力装置と表示装置とが組み合わせられた状態であるか、取り外された状態であるかを検知する検知部と、
制御対象機器に設定可能な制御モードの中から前記検知部により検知された状態に対応付けられた制御モードを判定する判定部と、
制御対象機器の制御モードを前記判定部により判定された制御モードに切り替え、切り替えられた制御モードに対応する表示態様で操作対象の機能を前記表示装置に表示させる制御処理部と
を備え、
前記検知部は、前記入力装置と前記表示装置が組み合わせられた状態の位置関係を検知し、
前記制御処理部は、前記判定部により判定された制御モードで操作可能な機能の中から、前記検知部により検知された位置関係に対応付けられた機能を操作対象として選択して前記表示装置に表示させることを特徴とする操作装置。
【請求項３】
入力装置と表示装置とが組み合わせられた状態であるか、取り外された状態であるかを検知する検知部と、
制御対象機器に設定可能な制御モードの中から前記検知部により検知された状態に対応付けられた制御モードを判定する判定部と、
制御対象機器の制御モードを前記判定部により判定された制御モードに切り替え、切り替えられた制御モードに対応する表示態様で操作対象の機能を前記表示装置に表示させる制御処理部と
を備え、
前記検知部は、前記入力装置と前記表示装置が組み合わせられた状態の位置関係を検知し、
前記制御処理部は、複数の機器の中から、前記検知部により検知された位置関係に対応付けられた機器を、制御対象機器として選択することを特徴とする操作装置。
【国際調査報告】
2017212642.tif 000010
2017212642.tif 000011
2017212642.tif 000012
2017212642.tif 000013